(57)【特許請求の範囲】
【請求項１】
プレロードされた第１と第２のシャッター部材（カーテン）を有する写真カメラ用のシャッターであって、
前記第１と第２のシャッター部材はそれぞれ、回動可能に支承された第１と第２の保持留め金（７，１１）により、第１と第２のシャッター部材留め金（３，４）との共働作用でロードされた状態に保持され、
前記第１の保持留め金（７）は、第１のシャッター部材を解放するためのカメラリリーサと結合ないし連携されており、
前記第２の保持留め金（１１）は、第１のシャッター部材のトリガに依存して制御される、第２のシャッター部材を解放するためのトリガ装置と結合ないし連携されている形式のシャッターにおいて、
前記第１と第２の保持留め金（７，１１）にはそれぞれ第１と第２の運動トリガ作用面（９，１０；１３，１４）が配属されており、
当該作用面はそれぞれ選択的に、機械的に制御されるシャッター部材解放部または電子的に制御されるシャッター部材解放部と係合可能であり、
機械的に制御されるシャッター部材解放部は偏心部材（２３）を有しており、
該偏心部材には回動可能な調整レバー（２５）が当接し、
該調整レバー（２５）は、該調整レバーと一体の第１の制御レバー（２７）と、該調整レバーにリンクされた第２の制御レバー（２８）とを有しており、
偏心部材（２３）の回転により第１の制御レバー（２７）を用い、ノッチレバー（３０）が第１の保持留め金（７）の第１の作用面（９）に対する作用位置へもたらされ、かつ
第２の制御レバー（２８）は第２の保持留め金（１１）の第１の作用面（１３）に対する作用位置へもたらされる、
ことを特徴とするシャッター。
【請求項２】
プレロードされた第１と第２のシャッター部材（カーテン）を有する写真カメラ用のシャッターであって、
前記第１と第２のシャッター部材はそれぞれ、回動可能に支承された第１と第２の保持留め金（７，１１）により、第１と第２のシャッター部材留め金（３，４）との共働作用でロードされた状態に保持され、
前記第１の保持留め金（７）は、第１のシャッター部材を解放するためのカメラリリーサと結合ないし連携されており、
前記第２の保持留め金（１１）は、第１のシャッター部材のトリガに依存して制御される、第２のシャッター部材を解放するためのトリガ装置と結合ないし連携されている形式のシャッターにおいて、
前記第１と第２の保持留め金（７，１１）にはそれぞれ第１と第２の運動トリガ作用面（９，１０；１３，１４）が配属されており、
当該作用面はそれぞれ選択的に、機械的に制御されるシャッター部材解放部または電子的に制御されるシャッター部材解放部と係合可能であり、
第１の保持留め金（７）には回転軸（８）が固定結合されていて、該回転軸（８）は、機械的に制御されるシャッター部材解放のために該回転軸（８）の長手方向に第１の保持留め金（７）と共にスライド可能であり、
偏心部材（２３）が設けられており、
該偏心部材には旋回可能な調整レバー（２５）が当接し、
該調整レバーは、該調整レバーと一体の第１の制御レバー（２７）と、該調整レバーにリンクされた第２の制御レバー（２８）とを有しており、
偏心部材（２３）の回転により第１の制御レバー（２７）は、第１の作用面（９）における、第１の保持留め金（７）のスライドを阻止する位置から取り出され、かつ
第２の制御レバー（２８）は、第２の保持留め金（１１）の第１の作用面（１３）に対する作用位置へもたらされる、
ことを特徴とするシャッター。
【請求項３】
偏心部材（２３）の回転を介して形成される、第２の制御レバー（２８）の作用位置によって、第２の保持留め金（１１）に作用する遅延時間が調整可能である、
ことを特徴とする請求項１又は２記載のシャッター。
【請求項４】
第１のシャッター部材留め金（３）はカムディスク（６）として構成されており、
該カムディスクは、第１のシャッター部材の解放後に、第２の制御レバー（２８）の作用位置において当該第２の制御レバーに対し、第２のシャッター部材をトリガするために作用する、
ことを特徴とする請求項３記載のシャッター。
【請求項５】
偏心部材（２３）は回転により、機械的または電子的露光時間調整に対する動作形式選択スイッチ（４１）と結合ないし連動されており、
機械的に制御される露光時間調整に対する位置では、電子的露光時間調整のための通電線路にあるスイッチ（３９）が開放される、
ことを特徴とする請求項１から４までのいずれか１項記載のシャッター。
【請求項６】
第１と第２のアンカレバー（１５，１８）を有する第１と第２のパルスマグネット（１６，１９）が、シャッター部材解放のためのリリーサとして設けられており、
前記第１と第２のアンカレバーはそれぞれ、第１と第２の保持留め金（７，１１）のそれぞれの第２の作用面（１０，１４）に対する作用位置に配置されている、
ことを特徴とする請求項１から５までのいずれか１項記載のシャッター。
【請求項７】
カメラリリーサは電子スイッチ（２２）と結合ないし連動されており、
該電子スイッチにより、第１の保持留め金（７）に配属されたパルスマグネット（１６）が短時間通電され、
時間形成器（４２）を介してこれに時間的に遅延して、第２の保持留め金（１１）に配属されたパルスマグネット（１９）の通電がトリガ可能であり、
これによりそれぞれのアンカレバー（１５，１８）は、保持留め金（７，１１）の、前記アンカレバーに配属された作用面（１０，１４）に対して当接可能である、
ことを特徴とする請求項６記載のシャッター。
【請求項８】
前記通電として、約０．１ｍｓで急峻に上昇するピーク約６Ｖの電圧パルスがパルスマグネット（１６、１９）に与えられ、この電圧パルスはその後、約１ｍｓ内で２Ｖの前提投下値に降下する、
ことを特徴とする請求項７記載のシャッター。
【請求項９】
カメラにはオン/オフスイッチ（４０）が設けられており、該オン/オフスイッチ（４０）には第２のスイッチ位置が設けられていて、該オン/オフスイッチ（４０）のオフ時に該第２のスイッチ位置が通過されることにより、カメラの電流遮断の前に論理ゲート（４３）と共働して、第１のパルスマグネットの通電がすでに行われている場合には所定の遅延時間に依存しないで第２のパルスマグネットの通電が可能とされる、
ことを特徴とする請求項１から８までのいずれか１項記載のシャッター。
【請求項１０】
シャッター部材としてロールブラインドが設けられている、
ことを特徴とする請求項１から９までのいずれか１項記載のシャッター。
【発明の詳細な説明】
【０００１】
【発明の属する技術分野】
本発明は、カメラ用のシャッターに関し、特に、プレロードされた第１と第２のシャッター部材（カーテン：Vorhang）を有する写真カメラ用のシャッターに関する。このシャッターにおいて、前記第１と第２のシャッター部材はそれぞれ、回動可能に支承された第１と第２の保持留め金により、第１と第２のシャッター部材留め金との共働作用でロードされた状態に保持され、前記第１の保持留め金は、第１のシャッター部材を解放するためのカメラリリーサと結合ないし連携（Koppeln）されており、前記第２の保持留め金は、第１のシャッター部材のトリガに依存して制御される、第２のシャッター部材を解放するためのトリガ装置と結合ないし連携されている形式のシャッターがあり、本発明は、特にこの形式のものに関する。
【０００２】
【従来の技術】
フィルムを時間的に制御して露光するためにカメラはフィルム面の前方にシャッターを有している。このシャッターは時間的に連続して走行する２つのシャッター部材（カーテン）からなる。これらのシャッター部材は金属薄膜または布ロールにより形成することができる。２つのシャッター部材はフィルムの引き出しと共にばね機構を介してバイアスされ、留め金レバー機構によりこの状態に保持される。電子機械的構成の場合、シャッター部材は磁気的に操作される留め金により保持される。
【０００３】
【発明が解決しようとする課題】
純粋に機械的なばねテンションおよび留め金レバー機構は、これらが電気供給に依存せず、広い温度領域にわたって機能するという利点を有する。しかし第１のシャッターカーテンのスタートと第２のシャッターカーテンのスタートとの間での時間形成に対する機械的要求と構成部材コストは、とりわけシャッター時間が短い場合には甚だしいものである。留め金を解除するためには大きい摩擦力に打ち勝たなければならない。第２のシャッターカーテンを第１のカーテンのスタートにより解除する場合には、これが短時間で制動される。そのため形成される時間が不正確になる。そのためシャッター時間が非常に短い場合には、機械要素と力を整合するのが困難になる。
【０００４】
シャッターカーテンに対する保持磁石には、これにより電気的に制御される第１のトリガとこれに関連する電子的時間形成が可能となると言う利点がある。２つのカーテンのスタートは相互に依存しないで制御できる。欠点は部分的に高いエネルギーが保持磁石に対して必要なことである。
【０００５】
本発明の課題は、２つのシャッタートリガの利点を選択的に利用することができるようにすることである。なお、さらに別の視点によれば、純粋に機械的に制御されるシャッタートリガを有するカメラでは、既存の組み込み空間を、機械的時間形成機構に対する構成部材の必要（空間）を低減することによって、電磁石を組み込むためのスペースが得られるように利用すべできである。シャッタートリガは共通のカメラリリーサを介して可能であるようにすべきである。
【０００６】
【課題を解決するための手段】
この課題は冒頭に述べた形式のシャッターにおいて本発明の第１及び第２の視点により、前記第１と第２の保持留め金にはそれぞれ第１と第２の運動トリガ作用面が配属されており、当該作用面はそれぞれ選択的に、機械的に制御されるシャッター部材解放部または電子的に制御されるシャッター部材解放部と係合（Koppeln）可能であり、本発明の第１の視点においては、機械的に制御されるシャッター部材解放部は偏心部材を有しており、該偏心部材には回動可能な調整レバーが当接し、該調整レバーは、該調整レバーと一体の第１の制御レバーと、該調整レバーにリンクされた第２の制御レバーとを有しており、偏心部材の回転により第１の制御レバーを用い、ノッチレバーが第１の保持留め金の第１の作用面に対する作用位置へもたらされ、かつ第２の制御レバーは第２の保持留め金の第１の作用面に対する作用位置へもたらされるように構成（形態１：基本構成１）し、本発明の第２の視点においては、第１の保持留め金には回転軸が固定結合されていて、該回転軸は、機械的に制御されるシャッター部材解放のために該回転軸の長手方向に第１の保持留め金と共にスライド可能であり、偏心部材が設けられており、該偏心部材には旋回可能な調整レバーが当接し、該調整レバーは、該調整レバーと一体の第１の制御レバーと、該調整レバーにリンクされた第２の制御レバーとを有しており、偏心部材の回転により第１の制御レバーは、第１の作用面における、第１の保持留め金のスライドを阻止する位置から取り出され、かつ第２の制御レバーは、第２の保持留め金の第１の作用面に対する作用位置へもたらされるように構成（形態２：基本構成２）して解決される。
【０００７】
【発明の実施の形態】
本発明の好ましい実施の形態を以下に記載する。これらの形態１〜１０は、各々の請求項に記載した各々の構成要件にも対応している。尚、特許請求の範囲の付記した図面参照符号は、専ら本発明の理解を助けるためのものであり、本発明を図示の実施例に限定することを意図するものではないことを付言する。
（形態１）上記基本構成１を参照。
（形態２）上記基本構成２を参照。
（形態３）上記形態１又は２のシャッターにおいて、偏心部材の回転を介して形成される、第２の制御レバーの作用位置によって、第２の保持留め金に作用する遅延時間が調整可能であることが好ましい。
（形態４）上記形態３のシャッターにおいて、第１のシャッター部材留め金はカムディスクとして構成されており、該カムディスクは、第１のシャッター部材の解放後に、第２の制御レバーの作用位置において当該第２の制御レバーに対し、第２のシャッター部材をトリガするために作用することが好ましい。
（形態５）上記形態１から４のシャッターにおいて、偏心部材は回転により、機械的または電子的露光時間調整に対する動作形式選択スイッチと結合ないし連動されており、機械的に制御される露光時間調整に対する位置では、電子的露光時間調整のための通電線路にあるスイッチが開放されることが好ましい。
（形態６）上記形態１から５のシャッターにおいて、第１と第２のアンカレバーを有する第１と第２のパルスマグネットが、シャッター部材解放のためのリリーサとして設けられており、前記第１と第２のアンカレバーはそれぞれ、第１と第２の保持留め金のそれぞれの第２の作用面に対する作用位置に配置されていることが好ましい。
（形態７）上記形態６のシャッターにおいて、カメラリリーサは電子スイッチと結合ないし連動されており、該電子スイッチにより、第１の保持留め金に配属されたパルスマグネットが短時間通電され、時間形成器を介してこれに時間的に遅延して、第２の保持留め金に配属されたパルスマグネットの通電がトリガ可能であり、これによりそれぞれのアンカレバーは、保持留め金の、前記アンカレバーに配属された作用面に対して当接可能であることが好ましい。
（形態８）上記形態７のシャッターにおいて、前記通電として、約０．１ｍｓで急峻に上昇するピーク約６Ｖの電圧パルスがパルスマグネットに与えられ、この電圧パルスはその後、約１ｍｓ内で２Ｖの前提投下値に降下することが好ましい。
（形態９）上記形態１から８のシャッターにおいて、カメラにはオン/オフスイッチが設けられており、該オン/オフスイッチには第２のスイッチ位置が設けられていて、該オン/オフスイッチのオフ時に該第２のスイッチ位置が通過されることにより、カメラの電流遮断の前に論理ゲートと共働して、第１のパルスマグネットの通電がすでに行われている場合には所定の遅延時間に依存しないで第２のパルスマグネットの通電が可能とされることが好ましい。
（形態１０）上記形態１から９のシャッターにおいて、シャッター部材としてロールブラインドが設けられていることが好ましい。
【０００８】
シャッターをセッティングした後、ばねロード（ばね付勢）下にあるカーテン留め金は、旋回可能に支承されたそれぞれ１つの保持留め金によってロックされる。保持留め金にはそれぞれ、幾何学的に相互に別個の２つの作用面が配属されており、これらの作用面を介して留め金のロック部を選択的に解放することができる。有利には作用面は保持留め金に直接設けられている。保持留め金の構成は、まずは簡単に、カーテン留め金の耐震性ロック部に対して設計することができる。保持留め金はさらにレバーを形成する。このレバーの長さと形状は相互に依存せずに、許容できる力を以て作用面の１つに衝突する際に留め金結合（係合）が確実に解放されるように選択することができる。
【０００９】
作用面のそれぞれ一方は純粋に機械的に制御される留め金の解放部に配属することができ、他方の作用面は留め金の電子的に制御される解放部に配属することができる。留め金の機械的に制御される解放部は機械的作用リンク機構を含んでおり、その端部では留め金レバーが第１の保持留め金の所属の作用面に衝突または圧力によって作用を及ぼす。留め金の電子的に制御される解放部は、投下可能なアンカレバーを備える電磁石を含んでいる。このアンカレバーはそれぞれ別の作用面に衝突することができる。これら構成部材に対して必要な取り付け空間は比較的僅かである。
【００１０】
２つの解放手段を選択的に調整するために偏心部材が設けられている。この偏心部材により機械的作用リンク機構は機能位置へ向かって移動し、またはこの機能位置から離脱するように移動することができる。ここで偏心部材は有利には動作形式選択スイッチと結合している。偏心部材が機械的作用面を機能位置へもたらす位置では、簡単にスイッチの操作を介して電磁石に対する通電を遮断することができ、これにより２重トリガが確実に回避される。
【００１１】
偏心部材によって機械的作用リンク機構の機能位置への突入運動が可能になる。この作用リンク機構は留め金を順次連続して解放するための機械的時間形成部材と結合されている。このために、最初に解放されるカーテン留め金はカムディスクとして構成することができ、このカムディスクは後から解放すべきカーテン留め金に対する制御レバーのそれぞれの位置に依存して、比較的早くまたは遅れてこのカーテン留め金に作用する。しかしこのシャッター時間調整の精度は標準時間に対しては十分なものに制限されている。
【００１２】
電気制御可能な電磁石として有利にはパルスマグネットが設けられている。このパルスマグネットは、そのアンカレバーが無電流状態で永久磁石により保持され、アンカーの投下は十分に通電されたときにだけ行われるのが特徴である。従ってカメラ内の電流源の負荷を非常に小さく維持することができる。しかし欠点は、最初に解除されたアンカーが投下され、続いて後から解除すべきアンカーの投下の前に電流を遮断する際、所属のシャッターカーテンが開放されたままとなることである。そのために露光の狂うことがある。従って本発明ではオン／オフスイッチがカメラにおいて２段階に構成されており、これにより電流遮断の前であり、かつ第１のパルスマグネットの通電後に、どのような場合でも第２のパルスマグネットの通電が行われる。
【００１３】
パルスマグネットを正確に解除するためには投下電流の仕様値をできるだけ迅速に形成しなければならない。投下電流に所属する電圧を電磁石に正確に印加すれば、電流形成は既存のインダクタンスのため時間がかかりすぎる。これに対して電磁石に比較的高い電圧を印加すれば、投下電流に短時間で到達し、これを超えることになる。このことにより電磁石は新たに力を形成し、アンカー投下を中止するか、またはこれが不正確になる。従って本発明では次のようなレベル経過による通電が選択される。すなわち、急峻に上昇し、通常の投下電圧よりも格段に上にある信号レベルから始まり、その後急速に構造形式固有の投下値に降下するようなレベル経過の通電が選択される。
【００１４】
【実施例】
本発明を以下、図面に概略的に示された実施例に基づき説明する。
【００１５】
図１では、質量シンボル１の付された回転または回動軸が図示しないカメラケーシングに取り付け固定されている。矢印２の方向に作用するカメラシャッターノブも同様に図示されていない。
【００１６】
図１に示された、留め金解除用の機械的作用リンク機構の位置は、電子制御されるシャッタートリガに対する動作形式に相当する。シャッターカーテンとして、第１および第２のロールブラインドが設けられている。これらロールブラインドは第１と第２のカーテン留め金３，４の下方で、ばねロード状態にある。カーテン留め金３，４は、相互に同心に配置されたロールブラインドドラムと結合されており、これらのうち第１のロールブラインドの回転軸５だけを見ることができる。
【００１７】
カーテン留め金３はカムディスク６として構成されており、その意味については下でさらに説明する。カーテン留め金３は第１の保持留め金７と係合しており、この第１の保持留め金７は位置固定された軸８を中心に回動可能に支承されている。保持留め金７は２アームのレバーとして構成されており、第１の作用面９と第２の作用面１０を有する。
【００１８】
第２のロールブラインドと結合したカーテン留め金４は第２の保持留め金１１と係合している。この第２の保持留め金は位置固定された軸１２を中心に回動可能に支承されており、実施例では１アームのレバーとして構成されている。保持留め金１１も同様に第１の作用面１３と第２の作用面１４を有する。
【００１９】
第１の保持留め金７の第２の作用面１０は、第１のパルスマグネット１６のアンカレバー１５に対向して配置されている。アンカレバー１５は軸１７を中心に回動可能に支承されている。第２の保持留め金１１の第２の作用面１４は、第２のパルスマグネット１９のアンカレバー１８に対向して配置されている。アンカレバー１８は軸２０を中心に回動可能に支承されている。
【００２０】
カメラシャッターノブと結合されたレバー２１の運動によってトリガ接点２２が閉鎖される。このことにより図示しない別の電気線路を介して第１のパルスマグネット１６が短時間通電される。第１のパルスマグネットはこれに基づきアンカレバー１５を解除する。アンカレバー１５は、その軸１７を中心にした時計方向の回転と作用面１０への衝突とによって、第１のカーテン留め金３と第１の保持留め金７との間の留め金結合を解除し、これにより第１のシャッターカーテンをスタートさせる。所定のシャッター時間の満了後、パルスマグネット１９が同様に通電され、このパルスマグネットはこれに基づきアンカレバー１８を解除する。アンカレバー１８のその軸２９を中心にした時計方向の回転と、第２の保持留め金１１の作用面１４に対する衝突とによって、ここでも第２のカーテン留め金４との留め金結合が解除され、第２のシャッターカーテンはスタートすることができる。
【００２１】
図の左側に示した機械的要素はこの位置では何の機能も果たさない。この機械的要素を機能位置へもたらすため、偏心部材２３が軸２４を中心に回転される。偏心部材２３はこのために、図示しない動作形式選択スイッチ４１と外側カメラケーシングにて結合されている。
【００２２】
偏心部材２３には調整レバー２３が当接しており、この調整レバーは位置固定された軸２６を中心に回動可能に支承されている。調整レバー２５は１アームのレバーとして構成されており、調整レバー２５と一体の第１の制御レバー２７を形成する。この制御レバーには第２の制御レバー２８がピン３３を介して連結（枢支）している。第１の制御レバー２７はピン２９を有し、このピンには衝突面３１を備えるノッチレバー３０が当接している。ノッチレバー３０は、カメラシャッターノブを介して操作されるレバー２１において、軸３２を中心に回動可能に支承されている。
【００２３】
偏心部材２３が回転する際、調整レバー２５は時計方向にその軸２６を中心に旋回し、このときピン２９を介してノッチレバー３０を移動させる。これによりノッチレバーの衝突面３１は、第１の保持留め金７における第１の作用面９に対向する作用位置へ来る。さらに第２の制御レバー２８のノーズ３４が、保持留め金１１において第１の作用面１３に対する作用位置へもたらされる。制御レバー２８は頭部側にさらにくさび状領域３５を有し、このくさび状領域はここで同時に第１のカーテン留め金３においてカムディスク６に対する作用位置へスライドされる。
【００２４】
カメラシャッターノブと結合したレバー２１と、これに垂下するノッチレバー３０の運動によって、ここでも第１のカーテン留め金３と保持留め金７との間の留め金結合がまず解除される。第１のシャッターカーテンがスタートする際に、カムディスク６は所定の角度位置で、第２の制御レバー２８におけるくさび状領域３５と接触し、そのノーズ３４を第２の保持留め金１１における第１の作用面１３へ押圧する。これにより、保持留め金１１とカーテン留め金４との間の留め金結合も解除され、従って第２のシャッターカーテンはスタートすることができる。
【００２５】
第２の留め金結合を解放するための時間遅延は明らかに、制御レバー２８におけるくさび状領域３５と、第１のカーテン留め金３におけるカムディスク６との相対位置に依存する。この位置は偏心部材２３の回転角度により決められ、従って偏心部材はシャッター時間の予選択を可能にする。このシャッター時間はとりわけ、選択された標準時間に対しては十分に正確である。ノッチレバー３０における衝突面３１は十分に大きく選択すべきであり、これにより調整レバー２５の位置が異なっていても保持留め金７への確実な作用が得られる。
【００２６】
偏心部材２３の回転とはスイッチ３９が結合しており、このスイッチは、調整レバー２５が機械的に制御される機能待機状態へ旋回される際に、トリガ接点２２とパルスマグネット１６，１９との間の通電線路を遮断する。
【００２７】
図２は、機械的に制御されるシャッタートリガをブロックないしイネーブルするための変形実施例を示す。カメラシャッターノブとロッド３６が結合されており、このロッドの下方端部には保持プレート３７が取り付け固定されている。保持プレート３７の上には、この実施例では長手方向にスライドするよう支承された、第１の保持留め金７の回転軸８が引っ張りばね３８の作用下で力結合して配置されている。この回転軸は保持留め金７と固定結合されている。
【００２８】
偏心部材２３の図示の位置では、調整レバー２５の制御レバー２７が直接的に、保持留め金７の第１の作用面９に対する作用位置にあり、引っ張りばね３８による保持留め金７のさらなる降下運動を阻止する。調整レバー２５にピン３３を介してリンク（枢支）された制御レバー２８は保持留め金１１に対してその作用位置外にある。
【００２９】
ロッド３６がカメラシャッターノブの圧力の下で降下されると、保持プレート３７が図１のレバー２１と同様にトリガ接点２２を操作し、これによりパルスマグネット１６は通電され、すでに説明した電子制御されるシャッタートリガがスタートする。
【００３０】
偏心部材２３が所定の回転をすると制御レバー２７が、保持留め金７の作用面９に対向するその作用位置から外される。従って保持プレート３７が降下すると、保持留め金７は引っ張りばね３８の作用下で保持プレート３７のスライドに追従する。ここで保持留め金７の留め金結合は、カーテン留め金３に対向して垂直方向にスライドし、最終的にはこのカーテン留め金をすでに説明した機械的に制御されるシャッタートリガに対して解除する。ここでパルスマグネット１６，１９の通電は、偏心部材２３と結合したスイッチ３９により遮断される。
【００３１】
図３に示されたブロック回路図から、電子的制御と機械的制御のシャッタートリガの際の通電が明らかである。カメラの電圧供給はオン／オフスイッチ４０により投入接続される。トリガ接点２２はまず開放されている。偏心部材２３は動作形式選択スイッチ４１を介して、図１の電子的に制御されるシャッタートリガに相当する位置へもたらされる。従ってこのスイッチ３９は閉じており、これによりカメラシャッターノブを矢印２の方向にレバー２１を介して操作する際にトリガ接点２２は閉成される。このことにより電圧パルスがパルスマグネット１６に達し、すでに説明したようにそのアンカレバーを投下する。同時にトリガパルスは時間形成器（Zeitbildner，遅延回路）４２にも達し、この時間形成器は予め選択された、または自動的に形成された遅延時間を以てトリガパルスを第２のパルスマグネット１９にさらに導通する。この第２のパルスマグネットはその後に自分のアンカレバーを投下する。
【００３２】
オン／オフスイッチ４０には破線で示した第２のスイッチ位置が配属されている。この第２のスイッチ位置は電圧供給を遮断する前に通過しなければならない。このスイッチ位置では、論理ゲート４３を介し、時間形成器４２の傍らを通過してトリガパルスが第２のパルスマグネット１９に供給される。ただしこれは、前もって動作形式選択スイッチ４１から、電子的に制御されるシャッタートリガを選択するための信号と、トリガ接点２２を介して第１のシャッターカーテンをスタートするための信号とが論理ゲート４３に導かれていた場合である。このことにより、パルスマグネット１９が最終的な電圧遮断の前でもそのアンカレバーを投下し、ひいては第２のシャッターカーテンのスタートをトリガすることが確実になる。第２のシャッターカーテンはカメラの静止位置ではフィルム面を閉鎖するから、フィルム面にあるフィルムの誤露光が阻止される。
【００３３】
図４には、パルスマグネット１６，１９に対するトリガパルスの電圧経過が示されている。構造形式固有の投下電流（この投下電流の際に永久磁石力に打ち勝つ）には例えば２Ｖの電圧レベルの際に到達する。しかしインダクタンスが存在するため、所属の電流は約２〜３ｍｓかかる漸近的時間経過によってだけ、破線で示した電圧レベルに到達することができる。このためアンカレバーを時間的に正確に制御して投下させることは不可能である。従って約０．１ｍｓで急峻に上昇するピーク約６Ｖの電圧パルスがパルスマグネットに与えられる。この電圧パルスはその後、約１ｍｓ内で２Ｖの前提投下値に降下する。矢印で示した電圧値の際、すなわち約０．７ｍｓ後に、アンカレバーは投下される。パルスマグネットのこの負荷軽減により、インダクタンスに基づいて再度短い電圧上昇が生じ、それから構造形式固有の２Ｖの電圧に達する。この電圧値ではアンカレバーの意図しない吸着は確実に阻止される。パルスマグネットがそれ自体意図されない高いピークパルスによって損傷することは、驚くことには観察されなかった。
【００３４】
パルスマグネット１６，１９への図示の電流／電圧供給は例えば電流測定型演算増幅器を介して、またはＭＯＳ−ＦＥＴのゲート電圧とソース／ドレイン電流との間の比例特性を介して調整することができる。
【００３５】
アンカレバーの投下に対する時点の再現性は、露光調整の精度に対して必要な公差の範囲内にある。有利には、整合された投下特性を有する２つのパルスマグネットが相互に組み合わされる。これらのパルスマグネットは従って、トリガパルスの開始と、アンカレバーの実際の投下との間の遅延時間が同じである。この場合、遅延時間は予選択された露光時間に何ら影響しない。従ってとりわけ非常に短い露光時間を高精度で達成することができる。
【００３６】
純粋に機械的に制御されるシャッタートリガと、純粋に電子的に制御されるシャッタートリガとを選択的に調整する他に、混合形態も可能である。図１に示された作用リンク機構では、パルスマグネット１６とそのアンカレバー１５を省略し、ノッチレバー３０を、調整レバー２５に依存しない案内によって、第１の保持留め金７に対する常時の作用位置に配置することができる。他の機能部材は全て変わらずそのままである。しかし第２のシャッターカーテンの電子制御トリガに対して、第１のシャッターカーテンのスタートに対する信号発生器が設けられており、この信号発生器は機械的にのみトリガされる。これは例えば、シャッターカーテンのスタート後にイネーブルされる電気スイッチ、またはシャッターカーテンが通過する光スイッチとすることができる。このようにして形成されたスタート信号は時間形成器４２に供給され、前述のようにパルスマグネット１９をトリガする。
【００３７】
スペースの理由から、および運動方向を変更する必要性から、前述の作用面に別の中間レバーまたは他の伝動要素を追加することが必要な場合もある。選択的に調整可能な機械的制御シャッタートリガと電子的制御シャッタートリガの基本作用機序はこのことにより影響を受けない。さらに、回転軸においてシャッターが新たにセッティングされる際に回動可能なレバーをクランプし、留め金結合をリセットするために、それ自体公知のようにばねを設けることができる。アンカレバー１５，１８の回転領域は有利には次のように制限されている。すなわち、アンカレバーがシャッターのセッティングの際に、ばねテンションにより戻される保持留め金７，１１により連行され、パルスマグネット１６，１９の永久磁石力の吸着領域に到達するように制限されている。しかしここで保持留め金７，１１によりもたらすべきリセット力は比較的に大きくなければならない。
【００３８】
従って有利には、アンカレバー１５，１８のリセットは図示しない別個のばね蓄圧器およびレバー機構を介して行われ、このばね蓄圧器はシャッターセッティングにより同時にロードされる。このばね蓄圧器は例えば第２のカーテン留め金４の運動終了時にこのカーテン留め金により解放することができ、単純なレバー機構を介してアンカレバー１５，１８を再びその出発位置へもたらすことができる。この構成の利点は、カメラシャッターがロード（付勢）されていなくても常にパルスマグネットが閉じられていることである。これによりマグネット接点の汚染が回避される。
【００３９】
これに対してアンカレバー１５，１８が、シャッターと結合した特別のクランプレバーの操作によりシャッターが新たにセッティングされることによって初めてクランプされるならば、一方ではアンカレバーの確実なクランプが達成されることと、他方ではセッティングを介して及ぼされるクランプ力が、パルスマグネットがその係留位置から外されるほど過度に大きくならないことに注意しなければならない。クランプが例えばカム制御されるクランプレバーを介して形状結合される場合、この保護は中間スイッチにより行うことができる。クランプ力をクランプレバーが過度にストロークされた際に緩和するオーバストロークばねが達成される。クランプが力結合される場合、カム制御されるクランプレバーにばね蓄圧器を設けることができ、例えば２つのアンカレバーをクランプするために同時に使用することができる。カメラをロードする際にカムを、ばねロードされたクランプレバーを解放するために用いる。このクランプレバーは次に同様に、中間接続されたオーバストロークばねを介してまず、２つのクランプレバーの一方をクランプし、さらに続いて運動し、第２のクランプレバーをクランプする際に初めて静止状態に達する。中間接続されたバネ要素はここでは、第１のクランプレバーと第２のクランプレバーとの間のストローク差を平衡にする。
【００４０】
【発明の効果】
本発明の基本構成（請求項１）により、２つのシャタートリガの利点を選択的に利用することができるようになった。これは従来法においては、既述のとおり、達成されなかった問題である。さらに、本発明の別の視点において、機械的時間形成機構に対する構成部材の必要（空間）の低減も達成される。さらに、付加的な利点が、各従属請求項の特徴によって得られる。
【図面の簡単な説明】
【図１】留め金解除の機械的および電子的に制御される作用リンク機構の基本を示す。
【図２】第１の保持留め金の変形実施例を示す。
【図３】シャッタートリガのブロック回路図である。
【図４】パルスマグネットを制御するためのレベル経過を示す線図である。
【符号の説明】
１  質量シンボル
２  トリガ方向
３  第１のカーテン留め金
４  第２のカーテン留め金
５  留め金ドラム回転軸
６  カムディスク
７  第１の保持留め金
８  第１の保持留め金軸
９  第１の保持留め金における第１の作用面
１０  第１の保持留め金における第２の作用面
１１  第２の保持留め金
１２  第２の保持留め金軸
１３  第２の保持留め金における第１の作用面
１４  第２の保持留め金における第２の作用面
１５  第１のアンカレバー
１６  第１のパルスマグネット
１７  第１のアンカレバー回転軸
１８  第２のアンカレバー
１９  第２のパルスマグネット
２０  第２のアンカレバー回転軸
２１  レバー
２２  トリガ接点
２３  偏心部材
２４  偏心部材回転軸
２５  調整レバー
２６  調整レバー軸
２７  第１の制御レバー
２８  第２の制御レバー
２９  第１の制御レバーにおけるピン
３０  ノッチレバー
３１  ノッチレバーにおける衝突面
３２  ノッチレバー軸
３３  第２の制御レバーのリンクピン
３４  第２の制御レバーのノーズ
３５  ２つの制御レバーのくさび状領域
３６  ロッド
３７  保持プレート
３８  引っ張りばね
３９  スイッチ
４０  オン/オフスイッチ
４１  動作形式選択スイッチ
４２  時間形成器（遅延回路）
４３  論理ゲート
【図１】
0004592233.tif 000002
【図２】
0004592233.tif 000003
【図３】
0004592233.tif 000004
【図４】
0004592233.tif 000005